(57)【要約】      （修正有）【課題】脚力が弱った高齢ペット動物が自力で立ち上がる時に滑り難く、床材との間でも滑り難く且つ床材の上に載置しやすく汚れを清掃しやすい安価な動物用床敷材料を提供する。【解決手段】素材配合を変えた熱可塑性樹脂の複数の層からなるシート本体１の少なくとも一方の表層に行列配置された多数の微細な半球状凸部３を型押し加工した動物用床敷材料である。半球状凸部は微細な半球が適宜な間隔を空けて連続配置されているので、ペット動物にとっては良好な足掛かりとなり脚力が衰えた老齢動物の起立行動や歩行運動に際して極めて有効な運動補助装置となる。【選択図】図１
0003190228.tif 000002
【実用新案登録請求の範囲】
【請求項１】
動物用床敷材料において、素材配合率を変えた熱可塑性樹脂の複数の層からなるシート材料を型押し成形し、少なくとも一方の表層表面に半球状凸部が多数行列配置して形成されてなることを特徴とする動物用床敷材料。
【請求項２】
前記半球状凸部の直径寸法をＲとしたとき、前記シート平面において水平方向にＲの間隔を空けて一直線上に行配置され、垂直方向には１／４Ｒの間隔を空けて一直線上に列配置され、更に各行間の中間線及び各列間の中間線の各交点を中心点として該半球状凸部が再配置され、前記直径寸法Ｒが２．８ｍｍであることを特徴とする請求項１記載の動物用床敷材料。
【考案の詳細な説明】
【技術分野】
【０００１】  本考案は、主として犬猫を中心に家庭の室内外で飼育される一般的にペット動物と称される、小動物用の床敷き材料に関し、とりわけ室内で飼育されかつ老齢化して脚力が著しく減退した動物の床に敷設される動物用床敷材料に関するものである。
【背景技術】
【０００２】  従来、家庭の室内で飼育されているペット動物用敷材料は繊維系、樹脂系等様々であるがいずれも柔軟な布製や発泡させた軟質樹脂等、ペット動物の肌に優しい素材のものが殆どである。近年、栄養、医療、住環境条件の進歩に伴ってペット動物の高齢化が進み老齢に伴うペット動物の筋力低下による運動障害や摂食行動上の障害が多発している。【０００３】  従来型のペット動物の身体に柔らかな素材の場合、脚力が弱った高齢動物が立ち上がる時に必要な抵抗感や保持感が得られず起立し難く、更に近年の住宅環境は洋風化が進み床が板敷、樹脂系フローリング材、石材等、高齢動物にとっては極めて滑りやすい素材が多くまた食事時にはペット動物は寝具から床に移動して前脚を立てて摂食するので床や食事用敷物自体が滑りやすく身体の保持が困難である問いう難点があった。動物飼育用ゲージに用いる凹凸のある紙と軟質樹脂の積層材が知られているが、これはモルモット等の実験小動物用の敷材であり床を清掃しやすくするために凸部で浮き上がらせていることと表面が紙素材であるために耐久性耐水性に問題があり、また床と滑りやすく且つ多数の凹部が形成されているためにゴミ等が入りやすい等、多くの難点があった。
【先行技術文献】
【特許文献】
【０００４】
【特許文献１】特許公開平９−２８９８４０号公報
【考案の概要】
【考案が解決しようとする課題】
【０００５】  本考案の目的は、このような従来のペット動物用床敷材料が有する難点を解消するもので、その目的とするところは、脚力が弱った高齢ペット動物が自力で立ち上がる時に滑り難く、床材との間でも滑り難く且つ床材の上に載置しやすく汚れを清掃しやすい安価な床敷材料を供することにある。
【課題を解決するための手段】
【０００６】  （請求項１に記載の考案の特徴）
請求項１に記載の考案は、ポリエチレン、ポリスチレン、ポリプロピレン、ポリ塩化ビニール等の熱可塑性樹脂を底層、中間層にリサイクル材や色違い材を使用し表層に指定色材やバージン素材を使用する等、更に各層毎に可塑剤の添加率を変更させる等の複数層がらなる積層シート材とし、該積層材の少なくとも一方の表層に行列配置された多数の微細な半球状凸部が型押し加工されていることを特徴とする動物用床敷材料である。【０００７】  （請求項２に記載の考案の特徴）
請求項２に記載の考案によれば、前記積層シート材表面に形成された半球状凸部の直径寸法をＲとしたとき、該半球状凸部は水平方向にＲ分の間隔を空けて一直線上に行配置され、垂直方向には１／４Ｒ分の間隔を空けて一直線上に列配置されており、更に各行間の中間線及び各列間の中間線の各交点を中心点として該半球状凸部が再配置され、前記直径寸法Ｒが２．８ｍｍであることを特徴としている。従って該半球状凸部は微細な半球が適宜な間隔を空けて連続配置されているので、ペット動物にとっては良好な足掛かりとなり脚力が衰えた老齢動物の起立行動や歩行運動に際して極めて有効な運動補助装置となりうる構成とすることにより課題を解決している。
【考案の効果】
【０００８】  上述のように本考案の動物用床敷材料は熱可塑性樹脂製のシート材でありながら複数層からなる積層構造を有するので、素材構成や可塑剤の添加率を各層毎に自在に変更させて柔軟でありながら容易にめくれたり皺が発生し難い剛性を具備させることができるものである。また熱可塑性樹脂の複数の層からなる材料を型押し加工する製造方法であるから幅広で長尺なシートを成形加工するのが可能であり、例えば本材シートを長尺ロール材に成形して板敷の居間や廊下を連続的に覆置する事等も容易である。また凹部がなく微細な凸部のみで表層が構成されているので汚れや水溶物がこびりつきにくくまた耐水性素材であるので掃除機や水拭きがしやすく極めて衛生的であるとともに裏面が平滑であるため床材との接地面積が大きくズレ難く且つ建築施工用粘着テープ等により継目も目立たなく現状の床材上に載置でき、屋内飼育されている老齢ペット動物用の摂食場や歩行訓練場を容易にかつ迅速に設置するための動物用床敷材料を提供することができる。
【実施例】
【０００９】  以下、添付図面に従って一実施例を説明する。１は複数の層からなる熱可塑性樹脂製シートで表層に多数の半球状凸部が型押し成形された本材である。２は本材シートの平滑面であり、３は型押し成形された半球状凸部である。〔図１〕は本材シートの表層側平面の一部分を分割して拡大した平面図である。【００１０】  〔図２〕は前記平面図上において、水平方向に行配置されている半球状凸部中心を結ぶ中心線で切断したときの切断面を底面側から見た前記平面図と同一拡大率の拡大切断面図である。本材の熱可塑性シートは複数層から成る積層材であり、８は表層、９は中間層、１０は底層であることを示しており、半球状凸部以外の間隙部分は２平滑面であることが分かる。【００１１】  〔図３〕は前記平面図と同一部分、同一拡大率の平面図における半球状凸部の配置規定図である。４は該半球状凸部中心点を通る水平線であり、前記半球の直径寸法をＲとしたときＲ分の間隔を空けて一直線に該半球状凸部を並置して行配置とする。５は該半球状凸部中心点を通る垂直線であり、前記半球の直径寸法の１／４すなわち１／４Ｒ分の間隔を空けて一直線に該半球状凸部を並置して列配置とする。６は前記列配置間の中間線であり、７は前記行配置間の中間線である。６及び７の交点を中心点として前記半球状凸部を再配置することにより本考案の動物用床敷材料における半球状凸部の配置が完成する。【００１２】  〔図４〕は〔図１〕における底面図である。【００１３】  〔図５〕は〔図１〕における左側面図である。
【図面の簡単な説明】
【００１４】
【図１】本考案の床置きシートの実施例の一部分を示す拡大平面図である。
【図２】本シートの半球状突起部頂点の水平方向断面を示す拡大断面図である。
【図３】本シートの半球状突起部の配置規定を示す拡大平面図である。
【図４】本シートの拡大底面図である。
【図５】本シートの拡大左側面図である。
【符号の説明】
【００１５】１    シート本体
２    平面部
３    半球状突起部
４    半球状突起部中心配置水平線（列線）
５    半球状突起部中心配置垂直線（行線）
６    半球状突起部間隙中間垂直線（中間行線）
７    半球状突起部間隙中間水平線（中間列線）
８    表層
９    中間層
１０  底層
【図１】
0003190228.tif 000003
【図２】
0003190228.tif 000004
【図３】
0003190228.tif 000005
【図４】
0003190228.tif 000006
【図５】
0003190228.tif 000007